(57)【要約】【課題】汎用性を有すると共に、当該マンホールのコンクリート内壁面を切断処理する工程の間、当該ブレードの設定位置を正確にかつ安定的に保持し、予め設定された当該マンホールのコンクリート内壁面の所定の部位を正確に切断する事が可能で、且つブレードの使用可能期間を長期化させることが可能なマンホール内壁切断機を提供する。【解決手段】マンホール内壁切断機１であって、マンホール内壁切断機１は、略円形のマンホール蓋受部周縁壁部３に着脱自在に固定される支持部材２と、支持部材２から当該マンホール４の内部５に向けて吊り下げられた、円形回転ブレード６を摺動自在に保持する内部筐体部３２と内部筐体部３２を被覆する外部筐体部２６とからなるブレード保持制御部８０とから構成されたマンホール内壁切断機１。【選択図】図１
2010058272.tif 000002
【特許請求の範囲】
【請求項１】
マンホール内壁切断機であって、当該マンホール内壁切断機は、
略円形のマンホール蓋受部周縁壁部に着脱自在に固定される支持部材と、
当該支持部材と接合固定されており、当該支持部材から当該マンホール内部に向けて上下動可能に吊り下げられた、円形回転ブレードを保持するブレード保持制御部材とから構成されており、
当該ブレード保持制御部は、少なくとも２枚の所定の間隔を介して互いに平行に立設配置されている垂直壁部と当該２枚の垂直壁部の上部縁同士を連結し、且つ当該支持部材の一部と接合固定されている上部連結板部とから構成された外部筐体部と、
当該外部筐体部の内部に摺動可能に収納されており、少なくとも、当該マンホールの内壁部を切断するためのブレード部を回転自在に保持するブレード保持部材と当該ブレード部を回転駆動させる油圧モーターとが配置されている下部保持基板と当該下部保持基板の少なくとも両側縁部から上方に向けて、当該外部筐体部の垂直壁部と略平行に立設されている補助壁部とから構成された内部筐体部とから構成されており、且つ当該外部筐体部には、当該内部筐体部を当該外部筐体部で摺動させる内部筐体部摺動制御手段が設けられている事を特徴とするマンホール内壁切断機。
【請求項２】
マンホール内壁切断機であって、当該マンホール内壁切断機は、
略円形のマンホール蓋受部周縁壁部に着脱自在に固定される支持部材と、
当該支持部材から当該マンホール内部に向けて吊り下げられた、円形回転ブレードを保持するブレード保持制御部材とから構成されており、
当該支持部材は、当該マンホール中心部近傍の本体部から放射状に外側に延展された少なくとも３個の基板アーム部であって、当該それぞれの基板アーム部先端若しくはその近傍には、当該マンホール蓋受部周縁壁部と着脱自在に係合固定しうると共に、当該それぞれの基板アーム部の長手軸方向に摺動可能に構成された圧接部材を含む係合固定部が設けられている基板部と、
当該基板上に、それぞれの当該基板アーム部から上方に延展されたそれぞれの支柱部材と係合し、かつ当該各支柱部材の軸方向に沿って、上下方向に摺動可能に構成された、補助基板とを有し、
当該基板と当該補助基板のそれぞれには、当該マンホールの中心軸線と同芯状に形成された第１の開口部と第２の開口部とが形成されており、且つ当該第１及び当該第２の開口部には、１つの中空状管状筒部が同時に貫通せしめられており、当該中空状管状筒部は、当該補助基板の当該第２の開口部では、当該中空状管状筒部が回転自在に保持せしめられるが、当該基板の当該第１の開口部では、中空状管状筒部は、回転自在で且つ上下方向に摺動可能に保持せしめられており、
当該中空状管状筒部の、当該補助基板の上部表面に配置される上部端部は、当該補助基板上に設けられた適宜の当該中空状管状筒部回転手段と係合して回転自在に構成されると共に、当該中空状管状筒部の当該マンホール内部に配置される下部端部は、ブレード部を保持し且つ制御するブレード保持制御部の筐体部の一部と接合固定されており
当該ブレード保持制御部は、少なくとも２枚の所定の間隔を介して互いに平行に立設配置されている垂直壁部と当該２枚の垂直壁部の上部縁同士を連結すると共に当該支持制御部材の当該中空状管状筒部の下端部の少なくとも一部と接合固定されている上部連結板部とから構成された外部筐体部と、
当該外部筐体部の内部に摺動可能に収納されており、少なくとも、当該マンホールの内壁部を切断するためのブレード部を回転自在に保持するブレード保持部材と当該ブレード部を回転駆動させる油圧モーターとが配置されている下部保持基板と当該下部保持基板の少なくとも両側縁部から上方に向けて、当該外部筐体部の垂直壁部と略平行に立設されている補助壁部とから構成された内部筐体部とから構成されており、
然も、当該油圧モーターを駆動する為の油圧流体を供給するホースが、当該中空状管状筒部の上端部から挿入されて、当該中空状管状筒部の当該外部筐体部との接合部近傍に設けられた孔部から当該中空状管状筒部の外部へ排出された後、当該油圧モーターに接続されている事を特徴とするマンホール内壁切断機。
【請求項３】
当該中空状管状筒部は、当該補助基板上に突出している当該中空状管状筒部の一部に、ギア部が嵌合固定されており、当該ギア部は、所定の歯車列を介して、当該補助基板上に設けられた、手動若しくは自動による中空状管状筒部回転操作部と連結されており、且つ当該ギア部は、更に当該中空状管状筒部の逆回転防止手段と係合している事を特徴とする請求項２に記載のマンホール内壁切断機。
【請求項４】
当該基板の少なくとも一部には、吊り下げ用フック部と嵌合するフック受け部が設けられている事を特徴とする請求項２又は３に記載のマンホール内壁切断機。
【請求項５】
当該基板アーム部のそれぞれに或は当該補助基板に水準器が設けられている事を特徴とする請求項２乃至４の何れかに記載のマンホール内壁切断機。
【請求項６】
当該ブレードの当該マンホール内に於ける高さ方向の配置位置は、当該補助基板の当該固定された基板との相対的間隔を変更することによって調整する事が可能な様に構成されている事を特徴とする請求項２乃至５の何れかに記載のマンホール内壁切断機。
【請求項７】
当該ブレード保持制御部は、当該支持部材に設けられた当該中空状管状筒部回転操作部の操作により当該マンホール部内を当該内壁部に沿って旋回せしめられると共に、当該ブレード部を、当該マンホール部内壁部の少なくとも一部に於ける当該マンホール部の中心軸線と直行する面に沿って、切断するように当該マンホール部内で回転させると共に、当該マンホール部内をその直径方向に沿って前後進させる機能を有するものである事を特徴とする請求項２乃至６の何れかに記載のマンホール内壁切断機。
【請求項８】
当該外部筐体部の下端部と当該内部筐体部の下端部とが相互に摺動可能に接合されている事を特徴とする請求項２乃至７の何れかに記載のマンホール内壁切断機。
【請求項９】
当該内部筐体部の当該垂直壁部の上端縁部にラック構造部が設けられ、当該外部筐体部の上部連結部に於ける当該内部筐体部の当該垂直壁部の上端縁部の位置と対応する部位に設けられた、所定幅で所定の長さを持つスリット部を介して、当該ラック構造部と噛み合うピニオン構造部が設けられており、当該ピニオン構造部は、適宜の回転駆動機構に従って回転せしめられる様に構成されている事を特徴とする請求項８に記載のマンホール内壁切断機。
【請求項１０】
当該回転駆動機構は手動又は自動的に当該ピニオン構造部を正逆方向に回転させる機構を有している事を特徴とする請求項９に記載のマンホール内壁切断機。
【請求項１１】
請求項１乃至１０の何れかに記載のマンホール内壁切断機に使用される治具であって、当該マンホール蓋受部周縁壁部の上端縁部に着脱自在に係合すると共に、その上端縁部に当該支持部材を固定せしめる事が可能な、当該マンホール蓋受部の直径と略同一で、所定の高さを有する円筒形状若しくは截頭円錐形状を有するマンホール内壁切断機用治具。
【発明の詳細な説明】
【技術分野】
【０００１】
本発明は、マンホール内壁切断機に関するものであり、更に詳しくは、直径の異なるマンホール或は直径の異なるコンクリート製のマンホール内壁に容易に対応出来る、汎用性のあるマンホール内壁切断機に関するものである。
【背景技術】
【０００２】
即ち、本発明は、例えば、道路改修に際し、道路上より突出するマンホールの導管部分を除去する必要が生じるが、当該導管部分を適量の長さ（深さ）で切断するために用いるマンホール内壁切断機の固定装置に関するものであって、一般に、マンホールと称されているものは、下水度用のマンホールと、電力用のマンホール及びＮＴＴ用のマンホールとがあり、それぞれの用途に応じて、当該マンホール部のマンホール蓋受け部の直径や高さが相互に異なっており、更には、当該マンホール蓋受け部の下部に形成されるコンクリート製の円筒部の直径も、例えば、６００ｍｍから９００ｍｍの範囲で相互に異なるほか、当該コンクリート製の円筒部の直径が、途中で変化する様に構成されているものもある。
【０００３】
従って、従来では、それぞれのマンホールの仕様に応じてそれぞれ専用に設計された当該マンホール内壁切断機を予め用意しておき、それぞれのマンホールに応じて適切なマンホール内壁切断機を選択して使用しているのが現状である。
【０００４】
その為、従来では、複数種類の当該マンホール内壁切断機を用意しておく必要があるので、コストが係る他、作業効率も低下すると言う問題が有った。
【０００５】
一方、マンホールに着脱自在に固定する支持部材に前記マンホールの径方向及び周方向に移動自在にブレードを支持させるようにして前記マンホールの内壁を切断するようにしたマンホール内壁切断機は、例えば、特開平５-２０２５２８号公報(特許文献１)や、特開２００７−９６４４号公報(特許文献２)或は特開２００７−２９０２８０号公報(特許文献３)等に見られる様に公知である。
【０００６】
然しながら、当該特許文献１では、当該支持部材は、当該マンホールの内部に於いて当該円筒形のコンクリート内壁部に固定されるので、当該マンホール内壁切断機の設定操作が極めて煩雑で操作効率が低いという問題があり、又特許文献２では、当該支持部材は当該マンホールのマンホール蓋受部周縁壁部の上端縁部に着脱自在に係合する様に構成されている点では、操作効率は当該特許文献１の技術よりも改善されてはいるが、ブレード保持部は、当該ブレードと当該ブレードの回転モーターとを一つの摺動部材に搭載して、適宜のシリンダーによって当該摺動部材を当該マンホール内壁に向けて進出及び退出させる構造であるので、当該ブレードの当該マンホール内壁部に対する位置が振動或は衝撃等によって、ずれたり、当該切断面が変形するなどの問題があり、又当該ブレードの寿命にも悪影響を与えている。
【０００７】
一方、特許文献３では、各種のマンホールに使用しえる構成を有する点では、汎用性があるものの、当該ブレードの支持構造は、当該特許文献２と同じ構造であるので、当該マンホールのコンクリート内壁面の切断部位に対して当該ブレードを安定的に維持し、且つ正確にその設定された部位を切断する事が不可能であった。
【特許文献１】特開平５-２０２５２８号公報
【特許文献２】特開２００７−９６４４号公報
【特許文献３】特開２００７−２９０２８０号公報
【発明の開示】
【発明が解決しようとする課題】
【０００８】
本発明の目的は、上記した従来技術に於ける問題点を解消し、汎用性を有すると共に、当該マンホールのコンクリート内壁面を切断処理する工程の間、当該ブレードの設定位置を正確にかつ安定的に保持し、予め設定された当該マンホールのコンクリート内壁面の所定の部位を正確に切断する事が可能で、且つブレードの使用可能期間を長期化させることが可能なマンホール内壁切断機を提供するものである。
【課題を解決するための手段】
【０００９】
本発明に係る当該マンホール内壁切断機は、上記目的を達成するために、以下に示す様な基本的技術構成を採用するものである。
【００１０】
即ち、本発明に係る当該マンホール内壁切断機の第１の態様としては、マンホール内壁切断機であって、当該マンホール内壁切断機は、略円形のマンホール蓋受部周縁壁部に着脱自在に固定される支持部材と、当該支持部材と接合固定されており、当該支持部材から当該マンホール内部に向けて上下動可能に吊り下げられた、円形回転ブレードを保持するブレード保持制御部材とから構成されており、当該ブレード保持制御部は、少なくとも２枚の所定の間隔を介して互いに平行に立設配置されている垂直壁部と当該２枚の垂直壁部の上部縁同士を連結し、且つ当該支持部材の一部と接合固定されている上部連結板部とから構成された外部筐体部と、当該外部筐体部の内部に摺動可能に収納されており、少なくとも、当該マンホールの内壁部を切断するためのブレード部を回転自在に保持するブレード保持部材と当該ブレード部を回転駆動させる油圧モーターとが配置されている下部保持基板と当該下部保持基板の少なくとも両側縁部から上方に向けて、当該外部筐体部の垂直壁部と略平行に立設されている補助壁部とから構成された内部筐体部とから構成されており、且つ当該外部筐体部には、当該内部筐体部を当該外部筐体部で摺動させる内部筐体部摺動制御手段が設けられているマンホール内壁切断機であり、又、本発明に係る当該マンホール内壁切断機の第２の態様としては、略円形のマンホール蓋受部周縁壁部に着脱自在に固定される支持部材と、当該支持部材から当該マンホール内部に向けて吊り下げられた、円形回転ブレードを保持するブレード保持部材とから構成されており、当該支持部材は、当該マンホール中心部近傍の本体部から放射状に外側に延展された少なくとも３個の基板アーム部であって、当該それぞれの基板アーム部先端若しくはその近傍には、当該マンホール蓋受部周縁壁部と着脱自在に係合固定しうると共に、当該それぞれの基板アーム部の長手軸方向に摺動可能に構成された圧接部材を含む係合固定部係合を含む固定部が設けられている基板部と、当該基板上に、それぞれの当該基板アーム部から上方に延展されたそれぞれの支柱部材と係合し、かつ当該各支柱部材の軸方向に沿って、上下方向に摺動可能に構成された、補助基板とを有し、当該基板と当該補助基板のそれぞれには、当該マンホールの中心軸線と同芯状に形成された第１の開口部と第２の開口部とが形成されており、且つ当該第１及び当該第２の開口部には、１つの中空状管状筒部が同時に貫通せしめられており、当該中空状管状筒部は、当該補助基板の当該第２の開口部では、当該中空状管状筒部が回転自在に保持せしめられるが、当該基板の当該第１の開口部では、中空状管状筒部は、回転自在で且つ上下方向に摺動可能に保持せしめられており、当該中空状管状筒部の、当該補助基板の上部表面に配置される上部端部は、当該補助基板上に設けられた適宜の当該中空状管状筒部回転手段と係合して回転自在に構成されると共に、当該中空状管状筒部の当該マンホール内部に配置される下部端部は、ブレード部を保持し且つ制御するブレード保持制御部の筐体部の一部と接合固定されており、当該ブレード保持制御部は、少なくとも２枚の所定の間隔を介して互いに平行に立設配置されている垂直壁部と当該２枚の垂直壁部の上部縁同士を連結し、且つ当該支持部材の一部と接合固定されている上部連結板部とから構成された外部筐体部と、当該外部筐体部の内部に摺動可能に収納されており、少なくとも、当該マンホールの内壁部を切断するためのブレード部を回転自在に保持するブレード保持部材と当該ブレード部を回転駆動させる油圧モーターとが配置されている下部保持基板と当該下部保持基板の少なくとも両側縁部から上方に向けて、当該外部筐体部の垂直壁部と略平行に立設されている補助壁部とから構成された内部筐体部とから構成されており、然も、当該油圧モーターを駆動する為の油圧流体を供給するホースが、当該中空状管状筒部の上端部から挿入されて、当該中空状管状筒部の当該外部筐体部との接合部近傍に設けられた孔部から当該中空状管状筒部の外部へ排出された後、当該油圧モーターに接続されている事を特徴とするマンホール内壁切断機である。
【発明の効果】
【００１１】
本発明に係る当該マンホール内壁切断機は、上記した技術構成を採用しているので、如何なる直径を有するマンホール蓋受部周縁壁部にも当該マンホール部の外部から容易に且つ効率的に接合固定できる他、当該マンホール内部の当該コンクリート内壁の直径が異なる場合或は当該コンクリート内壁の直径が途中で変化している構造を有する場合でも極めて正確に、且つ容易に然も迅速に該コンクリート内壁の所定の部位を所定の方向に沿って切断する事が可能であるので極めて高度の汎用性を有するものである。
【００１２】
更に、本発明によれば、マンホール４上に固定基板１１を載置した状態で、当該基板アーム部の先端若しくはその近傍に設けられた固定ボルト部と圧接駒部とからなる係合固定部の固定ボルト部を操作して当該圧接駒を動作させて固定するものであるから、該固定操作を確実に、しかも、所望位置通りに行うことができ、仮に、固定状態が緩むことがあってもマンホール内を降下したり、落下することがなく、従って、安全な装置を提供できるという優れた作用効果を奏するものである。
【００１３】
従って、本発明に係る当該マンホール内壁切断マンホールの補修工事を実行する企業体では、従来の様に、マンホールの種類に応じて複数種類のマンホール内壁切断機を用意する必要が無くなると同時に、ブレードが内壁切断機及びマンホール内壁に対して、各種の振動や衝撃等に対して極めて安定的に保持され、当該ブレードの位置の変位或は変形がなく、従ってブレードの破損、損傷も少なく従って、当該ブレードの使用期間も長期化することによって、当該マンホールの補修施工工事に係るコストが大幅に削減されるという作用効果も奏し得るものである。
【発明を実施するための最良の形態】
【００１４】
以下に、本発明にかかる当該マンホール内壁切断機の一具体例の構成を、図面を参照しながら詳細に説明する。
【００１５】
即ち、図１及び図２は、本発明に係るマンホール内壁切断機１の一具体例の構成を示す図であって、図中、マンホール内壁切断機１であって、当該マンホール内壁切断機１は、略円形のマンホール蓋受部周縁壁部３に着脱自在に固定される支持部材２と、当該支持部材２から当該マンホール４の内部５に向けて吊り下げられた、円形回転ブレード６を保持するブレード保持制御部８０とから構成されており、当該支持部材２は、当該マンホール４中心部近傍の本体部１２から放射状に外側に延展された少なくとも３個の基板アーム部１３であって、当該それぞれの基板アーム部１３の先端若しくはその近傍１４には、当該マンホール蓋受部周縁壁部３と着脱自在に係合固定しうると共に、当該それぞれの基板アーム部１３の長手軸方向に摺動可能に構成された圧接部材を含む係合固定部１５が設けられている基板部１１と、当該基板部１１上に、それぞれの当該基板アーム部１３から上方に延展されたそれぞれの支柱部材１６と係合し、かつ当該各支柱部材１６の軸方向に沿って、上下方向に摺動可能に構成された、補助基板１７とを有し、当該基板１１と当該補助基板１７のそれぞれには、当該マンホール４の中心軸線と同芯状に形成された第１の開口部１８と第２の開口部１９とが形成されており、且つ当該第１及び当該第２の開口部１８、１９には、１つの中空状管状筒部２０が同時に貫通せしめられており、当該中空状管状筒部２０は、当該補助基板１７の当該第２の開口部１９では、当該中空状管状筒部２０が回転自在に保持せしめられるが、当該基板１１の当該第１の開口部１８では、中空状管状筒部２０は、回転自在で且つ上下方向に摺動可能に保持せしめられている。
【００１６】
当該中空状管状筒部２０の、当該補助基板１７の上部表面に配置される上部端部２１は、当該補助基板１７上に設けられた適宜の当該中空状管状筒部回転手段２２と係合して回転自在に構成されると共に、当該中空状管状筒部２０の当該マンホール４内部に配置される下部端部２３は、ブレード部６を保持し且つ当該ブレード部６の回転と前後方向の摺動動作を制御するブレード保持制御部８０の一部と接合固定されており、当該ブレード保持制御部８０は、少なくとも２枚の所定の間隔を介して互いに平行に立設配置されている垂直壁部２４と当該２枚の垂直壁部２４の上部縁同士を連結すると共に当該中空状管状筒部２０の下端部と接合工程されている当該上部連結板部２５とから構成された外部筐体部２６と、当該外部筐体部２６の内部に摺動可能に収納されており、少なくとも、当該マンホール４の内壁部２７を切断するためのブレード部６を回転自在に保持するブレード保持部材２８と当該ブレード部６を回転駆動させる油圧モーター２９とが配置されている下部保持基板３０と当該下部保持基板３０の少なくとも両側縁部から上方に向けて、当該外部筐体部２６の垂直壁部２４と略平行に立設されている補助壁部３１とから構成された内部筐体部３２とから構成されており、然も、当該油圧モーター２９を駆動する為の油圧流体を供給するホース３３が、当該中空状管状筒部２０の上端部２１から挿入され、当該中空状管状筒部２０の当該外部筐体部２６との接合部近傍に設けられた孔部３４から当該中空状管状筒部２０の外部へ排出された後、当該油圧モーター２９に接続されているマンホール内壁切断機１が示されている。
【００１７】
本発明に係る当該マンホール内壁切断機１の構成を更に詳細に説明するならば、先ず、本発明に於ける当該マンホール内壁切断機１の上記した支持部材２は、本発明に係る当該マンホール内壁切断機を当該マンホール蓋受部周縁壁部に着脱自在に固定すると共に、任意の直径を有する当該マンホール蓋受部周縁壁部に確実に支持固定させる事が可能であるので、当該マンホール内壁切断機１に汎用性を付与するものである。
【００１８】
即ち、本発明に於ける当該マンホール内壁切断機１に使用されている当該基板１１から放射状に延展された基板アーム部１３の先端部１４に設けられた係合固定部１５が、上記した当該マンホール内壁切断機１に大なる汎用性を付与する一つの要因となっている。
【００１９】
更に詳述するならば、図１乃至図６から明らかな通り、本発明に於ける当該マンホール内壁切断機１の一具体例に於いては、当該支持部材２を構成する当該基板１１は、当該マンホール４中心部近傍の本体部１２から放射状に外側に延展された少なくとも３個の基板アーム部１３が形成されており、当該それぞれの基板アーム部１３の先端若しくはその近傍１４には、当該マンホール蓋受部周縁壁部３と着脱自在に係合固定しうると共に、当該それぞれの基板アーム部１３の長手軸方向に摺動可能に構成された、例えば圧接駒４１と、当該圧接駒４１を、螺子機構を介して摺動させる固定ボルト部４０とで構成された係合固定部１５が設けられている。
【００２０】
当該係合固定部材１５は、当該基板アーム部１３の先端部１４に、当該基板アーム部１３の長手方向に沿って形成されている空間溝部４２内に適宜の螺子を形成した回転可能なロッド部材４３を回転自在に軸支させ、当該ロッド部材４３の先端部で当該基板アーム部１３の先端部１４から突出している部分に適宜の固定ボルト４０を嵌合させ、当該固定ボルト４０を任意の方向に回転させる事によって、当該圧接駒４１を当該基板アーム部１３の長手軸方向に摺動させる事が可能となる。
【００２１】
係る構成によって、当該圧接駒４１を直接又は間接的に当該マンホール蓋受部周縁壁部３の内壁４４に圧接させてマンホール４に着脱自在に固定し、ブレード６による当該マンホール内壁部２７の切断時に伴う反力を当該内壁４４で受けさせるようにしたものである。
【００２２】
更に、本発明に於ける当該固定部材１５を構成する当該圧接駒４１は、例えば、その上部に内面に適宜の螺子が形成されている適宜の貫通孔部を設け、当該貫通孔部を、当該螺子を有するロッド部材４３と係合させると共に、その下方部に圧接部４５を突設して構成し、当該圧接部４５の下部を当該基板アーム部１３に形成された当該空間溝部４２の上面から通じて下面側へと突出させた構成を有している。
【００２３】
尚、本発明に於ける当該圧接駒４１の圧接部４５には、例えば、複数本（実施例では３本）の圧接ネジ４７を設けることも好ましい。
【００２４】
係る構成によって、当該圧接ネジ４７の先端がマンホール４の内壁４４に点接触して当該固定部材１５の固定強度を増大させることができることと、当該マンホール４の内壁４４が凹凸状であったとしても、当該凹凸を吸収して当該マンホール４の内壁４４に対する接触を確実に行うことを意図するものであるが、圧接部４５を内壁４４に直接的に接触させるようにしても不都合のないことは勿論である。
【００２５】
当該圧接ネジ４７を複数本を用いることにより、各ネジ４７の、圧接駒４１の圧接部４５からの突出量を調節して、当該マンホール蓋受部周縁壁部内壁４４の凹凸の吸収を尚一層確実に行うことができる。
【００２６】
本発明に於ける当該支持部材２では、各基板アーム部１３に配した固定ボルト４０を操作することにより、圧接駒４１が当該空間溝部４２に沿って前後に摺動し、当該圧接駒４１の圧接部４５又は圧接ネジ４７が当該マンホール蓋受部周縁壁部の内壁４４に圧接し、しかも、固定基板１１は少くも放射状の三方において当該内壁４４に圧接駒４１を介して固定されるからマンホール４の当該マンホール蓋受部周縁壁部３に確実に固定され、離脱操作も固定ボルト４０を緩めることにより簡単に行うことができるのである。
【００２７】
更に、本発明に係る当該支持部材２は、当該固定された基板１１の、各基板アーム部１３の長手方向（径方向）の所定の部位に、その表面にネジ部が形成された支柱部材１６をそれぞれ立設し、当該支柱部材１６に適宜の受支ナット５１を螺合せしめておく。
【００２８】
一方、当該基板部１１に対応する当該補助基板１７は、好ましくは、当該基板部１１と略相似状の形状を有するものであって、当該補助基板１７は、当該マンホール４の中心部近傍の本体部６０から放射状に外側に、当該基板アーム部１３の延展方向に一致する方向に延展された少なくとも３個の補助基板アーム部６１が形成されており、当該それぞれの補助基板アーム部６１先端若しくはその近傍６２には、当該支柱部材１６の一方の端部が貫通する貫通孔６３が設けられている。
【００２９】
当該補助基板アーム部６１の延展長は、当該基板アーム部１３の延展長よりも短く設定される事が望ましい。
【００３０】
従って、当該補助基板１７は、３本の当該支柱部材１６の先端部と当該貫通孔６３で係合し、当該補助基板アーム部６１面に当該支柱部材１６の先端部と螺合する締付けナット５２を配し、当該補助基板１７は当該受支ナット５１と当該締付けナット５２で締付けられ（挟持され）、当該支柱部材１６の縦方向の位置が適所に設定でき且つその位置で定置される。
【００３１】
即ち、当該補助基板１７は、当該受支ナット５１の当該部材１６に沿う移動位置により上下位置が変わり、その変位状態位置は、当該受支ナット５１と当該締付けナット５２による補助基板１７の締付けによって維持される。
【００３２】
換言するならば、当該受支ナット５１により当該基板部１１と所定の間隔を介して固定保持されると同時に、当該補助基板１７は、当該受支ナット５１の位置を変化させる事によって、当該基板部１１との垂直方向の間隔を適宜調整する事が可能である。
【００３３】
即ち、本発明に於いては、当該ブレード部６の当該マンホール４内に於ける高さ方向の配置位置は、当該補助基板１７の当該固定された基板１１に対する相対的間隔を変更することによって調整する事が可能である。
【００３４】
又、本発明に於いては、係る構成により、例えば、当該マンホール４が、傾斜地に形成されているような場合には、本発明に係る当該マンホール内壁切断機１を係る傾斜したマンホール上に固定配置する際に、それぞれの当該支柱部材１６に設けられた当該受支ナット５１の位置を、それぞれの当該支柱部材１６に於いて変更、調整することによって、当該マンホールの傾斜状態に合わせた当該マンホール内壁切断機１の設置状態を設定する事が可能である。
【００３５】
又、その逆に、当該マンホール内壁切断機１を当該水平なマンホール４の上に水平に設置固定したい場合でも、当該受支ナット５１の調整操作が役に立つ。
【００３６】
その為に、それぞれの当該基板アーム部１３の少なくとも一部に水準器１０３を設けておく事が望ましい。
【００３７】
次に、本発明に於いては、当該基板１１と当該補助基板１７のそれぞれには、当該マンホール４の中心軸線と同芯状に形成された第１の開口部１８と第２の開口部１９とが形成されており、且つ当該第１の開口部１８及び当該第２の開口部１９には、それぞれ適宜の中空状支持筒部５０、５５が取り付けられており、当該各中空状支持筒部５０、５５を介して当該１つの中空状管状筒部２０が当該双方の開口部１８、１９に同時に貫通せしめられている。
【００３８】
一方、当該中空状管状筒部２０は、当該補助基板１７の当該第２の開口部１９では、当該中空状管状筒部２０が回転自在に保持せしめられるが、当該基板１１の当該第１の開口部１８では、当該中空状管状筒部２０は、回転自在で、且つ上下方向に摺動可能に保持せしめられている。
【００３９】
具体的には、当該中空状管状筒部２０の、当該補助基板１７の上部表面に配置される上部端部２１は、当該補助基板１７上に設けられた適宜の当該中空状管状筒部回転手段２２と係合して回転自在に構成されている。
【００４０】
即ち、当該中空状管状筒部２０の当該支持筒５５より突出する上端２１に適宜の掛止材２３を設け、当該掛止材２３を当該支持筒５５に受支させ、当該掛止材２３は、当該補助基板１７の一つの補助アーム部６１に回動自在に立設した回転駆動軸５３に適宜の回動伝達装置、例えば歯車と鎖等５４を介して当該掛止材２３の外面に形成されたラチェット歯車５６と連携させ、当該回転駆動軸５３をモーター等の適宜の駆動手段による駆動力或は人力で駆動する為の操作レバー（図示省略）等の操作によって回動するようにしてあり、更には、当該掛止材２３に設けたラチェット歯車５６とこれにかみ合う掛止爪５７およびコイルスプリング（図示せず）とで成るラチェット装置（逆転防止装置）によって逆転を規制するようにしてある。
【００４１】
本発明に於ける上記した構成によって、後述する様に、当該ブレード部６を保持し、且つ当該ブレード部６の制御を行う当該ブレード保持制御部８０を、当該マンホール部４内壁部２７の少なくとも一部に於ける当該マンホール部４の中心軸線と直行する面に沿って、切断するように当該ブレード部６を当該マンホール部４内で回転させる事が可能となる。
【００４２】
本発明に於いて使用される当該中空状管状筒部２０は、後述する様に、強固で重量のあるブレード保持機構を安定的に保持する事が要求されると同時に、その内部を油圧モーター用の流体を供給するホース類を貫通させる必要から、軽量で高強度の金属で構成されることが望ましく、又、その直径は、少なくとも６０ｍｍであることが望ましい。
【００４３】
又、図７乃至図１０に示す様に、当該中空状管状筒部２０の当該マンホール４内部に配置される下部端部２３は、少なくとも２枚の所定の間隔を介して互いに平行に立設配置されている垂直壁部２４と当該２枚の垂直壁部２４の上部縁同士を連結する上部連結板部２５とから構成された外部筐体部２６と、当該外部筐体部２６の内部に摺動可能に収納されており、少なくとも、当該マンホール４の内壁部２７を切断するためのブレード部６を回転自在に保持するブレード保持部材２８と当該ブレード部６を回転駆動させる油圧モーター２９とが配置されている下部保持基板３０と当該下部保持基板３０の少なくとも両側縁部から上方に向けて、当該外部筐体部２６の垂直壁部２４と略平行に立設されている補助壁部３１とから構成された内部筐体部３２とから構成された、ブレード保持制御部８０と接合固定されており、より具体的には、当該中空状管状筒部２０の下部端部２３は、当該外部筐体部２６の当該上部連結板部２５と接合固定されている。
【００４４】
本発明に於ける更なる特徴は、当該油圧モーター２９を駆動する為の油圧流体を供給するホース３３が、当該中空状管状筒部２０の上端部２１から挿入され、当該中空状管状筒部２０の内部を通過して、当該中空状管状筒部２０の当該外部筐体部２６との接合部近傍に設けられた孔部３４から当該中空状管状筒部２０の外部へ排出された後、当該油圧モーター２９に接続されているものである。
【００４５】
係る構成によって、当該マンホール内壁切断機１は、如何なる方向に回転せしめられたとしても、当該ホースが当該モーター２９や、ブレード部に絡みつく事がなく、効率的に切断操作を実行する事が可能となる。
【００４６】
本発明に於ける当該ブレード保持制御部８０の当該外部筐体部２６と内部筐体部３２の構成について、図７乃至図１０を参照して詳細に説明する。
【００４７】
即ち、図８及び図９の断面図から明らかな様に、本発明に使用される当該ブレード保持制御部８０を構成する筐体部の内の当該外部筐体部２６は、少なくとも２枚の所定の間隔を介して互いに平行に立設配置されている垂直壁部２４、２４と当該２枚の垂直壁部２４の上部縁同士を連結する上部連結板部２５とから構成されており、その断面形状は、少なくとも逆Ｕ字型を呈しているが、必ずしも逆Ｕ字型に特定されるものではなく、下端面が閉鎖されたロの字を呈しているものであってもよい。
【００４８】
然しながら、後述する様に、当該内部筐体部３２に設けられた当該ブレード部６を当該外部筐体部２６内で摺動させる為には、当該外部筐体部２６の下端部は、開放されている事が望ましい。
【００４９】
当該外部筐体部２６の各寸法は特に特定されるものではないが、複数種類のマンホール４に汎用的に使用されるように構成する必要から、現在一般的に使用されてマンホールの内で、最も直径が小さいマンホール４の内部で可動できる寸法に設定しておく事が望ましい。
【００５０】
一例を挙げるならば、例えば、幅２７０ｍｍ、高さ１５７ｍｍ、長さ３５０ｍｍとしてもよい。
【００５１】
本発明に於ける当該外部筐体部２６は、当該中空状管状筒部２０と強固に接合され、且つブレード部６を摺動自在に保持すると共に、当該ブレード部６の作動位置を正確に維持すると共に、作動中の振動や衝撃によって当該ブレード部６が振動したり、その位置が変化したりする事を完全に防止する必要があることから、比較的軽量であるが、高度の強度、剛性を有する金属でがっしりとした筐体として構成されることが望ましい。
【００５２】
本発明に於いては、当該中空状管状筒部２０と当該外部筐体部２６の当該上部連結板部２５との接合は、特に限定されるものではないが、好ましくは、当該中空状管状筒部２０と当該外部筐体部２６との配置位置関係が当該マンホール内壁切断機１の操作中に変形したり、捩れたり、或は振動する事が無いように、強固に且つ堅固に接続されるような構成を採用する事が望ましい。
【００５３】
その為、本発明に於いては、当該外部筐体部２６と当該内部筐体部３２は何れも極めて精度良く成型加工され、且つ仕上げ加工されていることが望ましく、当該両者の相互接触部或いは摺動部は、実質的な誤差の無いレベルに仕上げられている事が好ましい。
【００５４】
係る構成によって、当該両者の接合部、或いは相互対向部は、相互に、がたが生じない様な状態を形成している事が好ましい。
【００５５】
更に好ましくは、当該接続構造部に適宜の制振材料を併用する事も可能である。
【００５６】
又、その為に当該外部筐体部２６の側壁部２４や上部連結板部２５の厚みも適宜調整されるものであるが、当該重さと厚みとの調整に際しては、図示の通り、当該側壁部２４の一部に適宜の空間部、孔部、凹み部や切り込み部を形成する事も可能である。
【００５７】
又、当該外部筐体部２６と当該中空状管状筒部２０との固定部位は、必ずしも当該上部連結板部２５の中央である必要はなく、当該外部筐体部２６の当該上部連結板部２５の長手方向に沿って、何れかの端部に向けて中心部から変位させる事も可能である。
【００５８】
一方、当該内部筐体部３２は、当該外部筐体部２６の内部に摺動可能に収納される様に構成されており、少なくとも、当該マンホール４の内壁部２７を切断するためのブレード部６を回転自在に保持するブレード保持部材２８と当該ブレード部６を回転駆動させる油圧モーター２９とが配置されている下部保持基板３０と当該下部保持基板３０の少なくとも当該内部筐体部３２の長手方向に沿った両側縁部８１，８２から上方に向けて、当該外部筐体部２６の垂直壁部２４と略平行に立設されている補助壁部３１、３１とから構成されている。
【００５９】
つまり、当該内部筐体部３２は、当該外部筐体部２６に対しては逆の断面形状であるＵ字型を呈しているが、必ずしもＵ字型に特定されるものではなく、上端面が閉鎖されたロの字を呈しているものであってもよい。
【００６０】
然しながら、後述する様に、当該内部筐体部３２に設けられた当該モーター２９に油圧ホースを接続させた状態で当該内部筐体部３２を当該外部筐体部２６内を摺動させる必要があることから、当該内部筐体部３２の上端部は、開放されている事が望ましい。
【００６１】
当該内部筐体部３２の各寸法も特に特定されるものではないが、上記した外部筐体部２６寸法に合わせて、当該内部筐体部３２が当該外部筐体部２６内を自由に摺動しうる寸法に設定しておく事が望ましい。
【００６２】
一例を挙げるならば、例えば、幅２３４ｍｍ、高さ１２９．５ｍｍ、長さ３２０ｍｍとしてもよい。
【００６３】
更に、当該内部筐体部３２は、その下端部を構成する当該ブレード保持部材２８の両端縁部８３、８４が、当該外部筐体部２６の当該側壁部２４の下端部に形成された適宜の摺動支持部材８５、８６と適宜の摺動補助手段、例えば、ボール或はコロ式ベアリング、磁気ベアリング、流体ベアリング等を介して、精密な精度で摺動自在に接合されているものである。
【００６４】
当該内部筐体部３２の材質も当該外部筐体部２６の材質と同じものであっても良い。
【００６５】
一方、当該外部筐体部２６と当該内部筐体部３２との摺動動作を積極的に実行する為の機構としては、特に限定されるものではないが、一具体例としては、例えば、図７乃至図９に示される様に、当該内部筐体部３２の当該補助壁部３１、３１の上端部９０に適宜のラック部９１を形成し、一方、当該外部筐体部２６の当該上部連結板部２５の当該内部筐体部３２の当該補助壁部３１、３１の上端部９０に対応する部位に適宜のスリット部９６を設け、当該スリット部９６に、適宜のピニオン部９３を嵌入させて当該ラック部９１と係合せしめ、当該ピニオン部９３を、適宜の回転操作部９４の回転駆動動作を適宜の回転伝達手段９５（例えば、カム、ギア、チェイン等の駆動伝達手段）を介して回転させる事によって、当該内部筐体部３２は、その長手方向に前後に適宜の距離だけ摺動する事が可能となる。
【００６６】
本発明に於ける当該回転操作部９４は、手動により駆動されてもよく、又モーター等により自動的に駆動されるものであってもよい。
【００６７】
本発明に於ける当該内部筐体部３２の摺動移動距離は、特に限定されるものではないが、現存する最大の直径を有するマンホール４の当該直径と使用可能なブレード部の直径との組み合わせて任意に決定する事は可能である。
【００６８】
本発明に於ける当該内部筐体部３２の当該下部保持基板３０に搭載される当該ブレード部６の回転用モーターは、当該マンホール内壁切断機１が水の存在下で使用されることが多い事から、油圧式モーターである事が必要である。
【００６９】
一方、当該下部保持基板３０に搭載される当該ブレード保持部材２８は、適宜のベアリングを含む軸保持機能を有するものであれば如何なる公知の軸保持部材でも使用可能である。
【００７０】
又、当該ブレード部６と当該油圧モーターとの連結は、公知の如何なる回転伝導手段でも使用可能であり、図７の具体例では、チェイン或はベルトが使用されている。
【００７１】
図７の具体例に示す様に、本発明に於ける当該マンホール内壁切断機１に有っては、当該マンホール内壁切断機１の初期の状態に於いて、当該油圧モーターの位置が、当該外部筐体部２６の当該上部連結板部２５の端部に近い部位に配置されている当該中空状管状筒部２０の近傍位置に配置されている。
【００７２】
一方、本発明に於いては、当該油圧モーター２９を駆動する為の油圧流体を供給するホース３３が、当該中空状管状筒部２０の上端部２１から挿入され、当該中空状管状筒部２０の内部を通過した後、当該外部筐体部２６との接合部近傍に設けられた孔部３４から当該中空状管状筒部２０の外部へ排出され、その後当該油圧モーター２９に接続されていることが望ましい。
【００７３】
係る構成を採用する事によって、当該ホース３３が、当該マンホール内壁切断機１の主要部分から消えてなくなり、外観がすっきりすると共に、操作が容易となり、且つ当該ブレード部６が旋回動作をする間、邪魔になることもないので、操作がスムーズで効率的に作業が実行される。
【００７４】
即ち、本発明に於いては、当該内部筐体部３２が当該外部筐体部２６内から摺動自在に突出、退出する事が出来るので、油圧駆動モーター２９で回動する当該ブレード部６が前記マンホール４の径方向すなわち内壁２７に対して進退自在に移動する事が可能となる。
【００７５】
然も、本発明に於いては、ブレード部６を回転自在に保持する当該内部筐体部３２が、二重のボックス型筐体部で構成されているので、当該ブレード部保持制御部８０自体が変形の起こりにくい構成を有している上に、当該内部筐体部３２が、精度良く、当該外部筐体部２６の内部で変動が実質的に生じない状態で摺動することから、当該マンホール４の内壁部２７に対して絶えず安定した位置に維持されるよう保持されると同時に、当該マンホール内壁切断機１が作動中であっても、当該ブレード部６は、当該マンホール内壁切断機１の振動や衝撃等に影響されることなく、精密に一定の設定された部位で高速回転を継続する事が可能であり、更には、当該ブレード部が当該マンホール４内で旋回する際にも、当該ブレード部６の設定位置には全く狂いがなく安定した位置を維持する事が可能であるから、操作効率は向上する外、切断されたコンクリートの切断面も一定の形状で良好に仕上がり、その後の作業にも好影響を与える他、ブレードの破損が著しく減少するので、当該ブレードの寿命が長期化でき、コスト削減の効果もある。
【００７６】
更に、本発明に係る当該ブレード部６は、当該内部筐体部３２に取り付けられており、然も当該内部筐体部３２は、ラック・ピニオン機構によって、駆動されるので、その移動位置が微細に且つ正確に設定できる他、当該ブレード部６の押し出し力、つまり当該ブレード部６がコンクリート内壁に当接する圧力を従来のシステムに比べて格段に向上させることが可能であるので、当該コンクリート内壁の切断操作も正確で且つ効率的に然も短時間で実行する事も可能である。
【００７７】
上記の説明から明らかな通り、本発明に係る当該マンホール内壁切断機１を、例えば、適宜のマンホール４内に、適宜の吊り下げ手段を使用して、当該中空状管状筒部２０の下部側に固定されている当該ブレード保持制御部８０を係止するようにして、当該支持部２の固定基板１１を当該マンホール４のマンホール蓋受部周縁壁部３上に載置し、当該固定ネジ４０を操作して圧接駒４１を移動させて、上記の通り、当該マンホール内壁切断機１を当該マンホール蓋受部周縁壁部３上に固定し、次いで、当該各支柱部材１６に設けられた当該受支ナット５１を任意の方向に回転させて、当該ブレード保持制御部８０に設けられた当該ブレード部６を予め設定された切断位置に正確に配置する。
【００７８】
その後、当該ブレード保持制御部８０に設けられた当該回転操作部９４を操作して当該ラック・ピニオン機構９１、９３を駆動させて、当該ブレード部６の先端部を当該マンホール４のコンクリート製の内壁部に接触させると同時に当該油圧モーター２９の回転を始動させ、当該コンクリート製内壁部の切断を開始し、徐々に当該ブレードの先端部の位置を当該回転操作部９４を操作しながら当該コンクリート製内壁部内に侵入させ、当該ブレード部６の該切断時位置を維持する。
【００７９】
その後、当該補助基板１７上に設けられた当該回動伝達装置５３を適宜の方向に回転させることによって、当該ブレード保持制御部８０を、当該中空状管状筒部２０を中心に当該マンホール４内で旋回回動させ、それによって、当該ブレード部６を当該マンホール４の内壁面２７に沿って、当該マンホール４の中心軸と直交する面内で移動させる。
【００８０】
係る操作を継続中に、当該ブレード部６は、更に当該ブレード保持制御部８０から外方に徐々に突出させる操作も継続させ、当該ブレード部６の先端部分が、予め設定されている所定の深さまで、つまり当該コンクリート製内壁部の厚み方向に所定の長さまで突出させる事になる。
【００８１】
本発明に於いては、当該コンクリート製内壁部内にボルトが含まれている場合でも、当該ボルトも切断する様に、ブレード部６の材質或は刃の形状を選択し設定する事が望ましい。
【００８２】
上記作業によって、当該マンホール内壁部の切断作業が完了すると、当該油圧モーター２９等を停止させ、当該固定ネジ４０や当該内部筐体部３２等の各部を原位置に復帰させることにより、当該マンホール内壁切断機１をマンホール４より取り外して切断作業を終了する。
【００８３】
尚、本発明に係る当該マンホール内壁切断機１に於いては、図１或は図３に示す様に、当該支持部材２の当該基板１１の適宜の部位に、複数個の吊り下げ用フック部（図示せず）と嵌合するフック受け部１０１が設けられている事が望ましい。
【００８４】
更に、本発明に於いては、当該ブレード保持制御部８０を当該マンホール４の内部の所定の部位に設定する為に、当該受支ナット５１を手動若しくは適宜の自動回転手段を用いて回転する方法が採用されているが、その位置調整操作に時間が掛かり、又当該位置調整範囲も限定される状態にあるので、図１１に示す様に、当該マンホール蓋受部周縁壁部３の上面に当該マンホール蓋受部周縁壁部３と略同一の直径を有し、適宜の高さを持ち、且つ当該マンホール蓋受部周縁壁部の上縁部と着脱自在に接合固定される円筒状筒体或は截頭円錐形状を有する筒体を補助治具１０２として別途用意しておき、必要な場合には、当該補助治具１０２を当該マンホール蓋受部周縁壁部３上に搭載させて、当該マンホール内壁切断機１を当該補助治具１０２上に固定させる事も可能である。
【００８５】
当該補助治具１０２の直径は、既存のマンホール４に使用されるマンホール蓋受部周縁壁部３に合わせて複数種類を容易する事が望ましく、又当該補助治具１０２の高さは、任意であるが、予め複数種類の高さを持った当該補助治具１０２を用意しておくことが望ましい。
【００８６】
即ち、本発明に於いては、当該ブレード保持制御部８０を当該マンホール４の内部の所定の部位に設定する為に、先ず主位置調整を当該治具１０２を使用して、当該ブレードの位置を所望の設定位置の近傍に位置する様に調整し、その後、当該支持部材の位置調整手段を使用して微調整操作を行う様にすることで、当該ブレードの位置を短時間で効率よく設定する事が出来る。
【図面の簡単な説明】
【００８７】
【図１】図１は、本発明に係るマンホール内壁切断機の一具体例の構成を説明する断面図である。
【図２】図２は、本発明に係るマンホール内壁切断機の一具体例の構成を説明する拡大断面図である。
【図３】図３は、本発明に係る支持部材に使用される基板部の一具体例の構成を示す平面図である。
【図４】図４は、本発明に係る支持部材に使用される補助基板部の一具体例の構成を示す平面図である。
【図５】図５は、本発明に係る支持部材に於ける、補助基板部と中空状管状筒部との係合状態を示す断面図である。
【図６】図６は、本発明に於ける、基板部と補助基板部との配置関係を説明する平面図である。
【図７】図７は、本発明に係るブレード保持制御部の一具体例の構成を示す側面図である。
【図８】図８は、本発明に係るブレード保持制御部の一具体例の構成を示す断面図である。
【図９】図９は、本発明に係るブレード保持制御部の一具体例の構成を示す断面図である。
【図１０】図１０は、本発明に係るブレード保持制御部の一具体例の構成を示す平面図である。
【図１１】図１１は、本発明に係る補助治具の一具体例の構成を示す斜視図である。
【符号の説明】
【００８８】
１  マンホール内壁切断機
２  支持部材
３  マンホール蓋受部周縁壁部
４  マンホール
５  マンホール内部
６  ブレード部
１１  基板部
１２  本体部
１３  基板アーム部
１４  基板アーム部の先端若しくはその近傍部
１５  係合固定部
１６  支柱部材
１７  補助基板
１８  第１の開口部
１９  第２の開口部
２０  中空状管状筒部
２１  中空状管状筒部の上部端部
２２  中空状管状筒部回転手段
２３  掛止材
２４  垂直壁部
２５  上部連結板部
２６  外部筐体部
２７  マンホールの内壁部
２８  ブレード保持部材
２９  油圧モーター
３０  下部保持基板
３１  補助壁部
３２  内部筐体部
３３  ホース
３５  中空状管状筒部の下部端部
４０  固定ボルト部
４１  圧接駒
４２  空間溝部
４３  ロッド部材
４４  マンホール蓋受部周縁壁部の内壁
４５  圧接部
５０  中空状支持筒部
５１  受支ナット
５５  中空状支持筒部
５２  締付けナット
５３  回転駆動軸
５４  回動伝達装置
５６  ラチェット歯車
５７  掛止爪
６０  補助基板の本体部
６１  補助基板アーム部
６３  貫通孔
８０  ブレード保持制御部
８３、８４  ブレード保持部材の両端縁部
８５、８６  摺動支持部材
９０  補助壁部の上端部
９１  ラック部
９３  ピニオン部
９４  回動操作部
９５  回転伝達手段
９６  スリット部
１０１  フック受け部
１０２  補助治具
１０３  水準器
【図１】
2010058272.tif 000003
【図２】
2010058272.tif 000004
【図３】
2010058272.tif 000005
【図４】
2010058272.tif 000006
【図５】
2010058272.tif 000007
【図６】
2010058272.tif 000008
【図７】
2010058272.tif 000009
【図８】
2010058272.tif 000010
【図９】
2010058272.tif 000011
【図１０】
2010058272.tif 000012
【図１１】
2010058272.tif 000013